【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置において、
被支持部を備えたカートリッジを内部に収容可能な装置本体と、
前記装置本体に設けられて、前記被支持部を支持することで前記カートリッジを画像形成が可能な位置に位置決めする本体側位置決め部と、
前記カートリッジを装着した状態で前記装置本体に対して移動することで、前記装置本体の外部にあって前記カートリッジを着脱させる外部位置と、前記装置本体の内部にあって前記カートリッジを前記本体側位置決め部に接触して位置決めさせる内部位置と、を取り得る移動部材と、
前記装置本体に設けられて、前記移動部材が前記外部位置から前記内部位置へ移動する移動方向に向かって上方に傾斜した上方傾斜部と、
前記移動部材に設けられ、前記カートリッジの力受け部に力を加え、前記カートリッジを前記装置本体の内部に移動させる第一力付与部と、
を有し、
前記上方傾斜部は、前記移動部材が前記外部位置から前記内部位置に向けて移動する過程で前記カートリッジの被支持部と接触することにより、前記カートリッジを前記移動部材に対して上方に移動させ、
前記移動部材が前記外部位置から前記内部位置に向けて移動する過程で、前記カートリッジは前記上方傾斜部及び前記第１力付与部材に接触したままの状態で前記移動方向に移動し、
前記移動部材が前記内部位置にある際に、前記第一力付与部と前記力受け部は離れていることを特徴とする画像形成装置。
【請求項２】
前記装置本体は、前記被支持部を本体側位置決め部に案内する本体側カートリッジガイドを備え、
前記上方傾斜部は前記本体側カートリッジガイドに設けられることを特徴とする請求項１に記載の画像形成装置。
【請求項３】
前記装置本体は、前記移動方向に向かって下方に傾斜した下方傾斜部を有し、
前記被支持部が前記上方傾斜部を通過した後かつ前記本体側位置決め部に位置を決められる前に、前記下方傾斜部は前記被支持部と接触することで前記被支持部を前記本体側位置決め部に向けて案内することを特徴とする請求項１または２に記載の画像形成装置。
【請求項４】
前記上方傾斜部によって前記被支持部が上方に移動する上昇量は、前記下方傾斜部によって前記被支持部が下方に移動する下降量よりも大きいことを特徴とする請求項３に記載の画像形成装置。
【請求項５】
前記上方傾斜部と水平面とがなす角度をα、前記下方傾斜部と水平面とがなす角度をβとすると、α＜βが成立することを特徴とした請求項３または４に記載の画像形成装置。
【請求項６】
前記装置本体は、前記移動部材が挿入される開口を開閉する開閉部材を備え、
前記移動部材が前記外部位置から前記内部位置へ移動することで、前記開閉部材が開いた状態のまま前記カートリッジは前記本体側位置決め部に位置決めされることを特徴とする請求項１乃至５のいずれか１項に記載の画像形成装置。
【請求項７】
前記カートリッジは前記被支持部として第一被支持部と、前記第一被支持部よりも前記移動方向において前記第一被支持部よりも上流に位置する第二被支持部とを備え、
前記装置本体は前記第一被支持部と前記第二被支持部に対応させて、前記上方傾斜部と前記本体側位置決め部をそれぞれ複数備えることを特徴とする請求項１乃至６のいずれか１項に記載の画像形成装置。
【請求項８】
前記カートリッジは、現像剤像を担持する像担持体を備えることを特徴とする請求項１乃至７のいずれか１項に記載の画像形成装置。
【請求項９】
前記カートリッジは、現像剤を担持して潜像を現像する現像剤担持体を備えることを特徴とする請求項１乃至８のいずれか１項に記載の画像形成装置。
【請求項１０】
記録媒体に画像を形成する画像形成装置において、
被支持部及び回転部材を備えたカートリッジを内部に収容可能な装置本体と、
前記装置本体に設けられて、前記被支持部を支持することで前記カートリッジを画像形成が可能な位置に位置決めする本体側位置決め部と、
前記カートリッジを装着した状態で前記装置本体に対して前記回転部材の回転軸線方向に移動することで、前記装置本体の外部にあって前記カートリッジを着脱させる外部位置と、前記装置本体の内部にあって前記カートリッジを前記本体側位置決め部によって位置決めさせる内部位置と、を取り得る移動部材と、
前記装置本体に設けられて、前記移動部材が挿入される開口を開閉する開閉部材と、
を有し、
前記移動部材が前記外部位置から前記内部位置へ移動することで、前記開閉部材が開いた状態のまま前記本体側位置決め部は前記カートリッジを位置決めすることを特徴とする画像形成装置。
【請求項１１】
前記装置本体は、前記カートリッジを前記本体側位置決め部に向けて案内する本体側カートリッジガイドを有し、
前記移動部材が前記外部位置から前記内部位置に移動する過程で、前記カートリッジは前記移動部材に支持された状態から前記本体側カートリッジガイドに支持された状態に移ることを特徴とする請求項１０に記載の画像形成装置。
【請求項１２】
前記本体側カートリッジガイドは、前記移動部材が前記外部位置から前記内部位置に移動する過程で前記カートリッジを前記移動部材に対して上方に移動させることを特徴とする請求項１０または１１に記載の画像形成装置。
【請求項１３】
前記移動部材が前記外部位置から前記内部位置に移動するのをガイドする本体側移動部材ガイドを有し、
前記本体側移動部材ガイドは、前記移動部材が前記外部位置から前記内部位置に移動する過程で、前記移動部材を前記カートリッジに対して下方に移動させることを特徴とする請求項１０乃至１２のいずれか１項に記載の画像形成装置。
【請求項１４】
前記移動部材が前記内部位置にある際に、前記被支持部を前記本体側位置決め部に付勢する付勢部を有することを特徴とする請求項１乃至１３のいずれか１項に記載の画像形成装置。
【請求項１５】
前記移動部材は、前記移動部材が前記外部位置へ移動する際に前記カートリッジに力を加えて前記カートリッジを前記装置本体の外部へ移動させる第二力付与部を備えることを特徴とする請求項１乃至１３のいずれか１項に記載の画像形成装置。
【請求項１６】
前記カートリッジは、前記回転部材として現像剤像を担持する像担持体を備えることを特徴とする請求項１乃至１５のいずれか１項に記載の画像形成装置。
【請求項１７】
前記カートリッジは、前記回転部材として現像剤を担持して潜像を現像する現像剤担持体を備えることを特徴とする請求項１乃至１６のいずれか１項に記載の画像形成装置。
【手続補正２】
【補正対象書類名】明細書
【補正対象項目名】０００８
【補正方法】変更
【補正の内容】
【０００８】
本発明の代表的な構成は、記録媒体に画像を形成する画像形成装置において、被支持部を備えたカートリッジを内部に収容可能な装置本体と、前記装置本体に設けられて、前記被支持部を支持することで前記カートリッジを画像形成が可能な位置に位置決めする本体側位置決め部と、前記カートリッジを装着した状態で前記装置本体に対して移動することで、前記装置本体の外部にあって前記カートリッジを着脱させる外部位置と、前記装置本体の内部にあって前記カートリッジを前記本体側位置決め部に接触して位置決めさせる内部位置と、を取り得る移動部材と、前記装置本体に設けられて、前記移動部材が前記外部位置から前記内部位置へ移動する移動方向に向かって上方に傾斜した上方傾斜部と、前記移動部材に設けられ、前記カートリッジの力受け部に力を加え、前記カートリッジを前記装置本体の内部に移動させる第一力付与部と、を有し、前記上方傾斜部は、前記移動部材が前記外部位置から前記内部位置に向けて移動する過程で前記カートリッジの被支持部と接触することにより、前記カートリッジを前記移動部材に対して上方に移動させ、前記移動部材が前記外部位置から前記内部位置に向けて移動する過程で、前記カートリッジは前記上方傾斜部及び前記第１力付与部材に接触したままの状態で前記移動方向に移動し、前記移動部材が前記内部位置にある際に、前記第一力付与部と前記力受け部は離れていることを特徴とする。